(57)【要約】      （修正有）【課題】装着者の虹彩部（黒目部）を自然な態様でくっきりと示し、装着者の目の動きに起因して眼球及びカラーコンタクトレンズの間でズレが生じても、強膜部が視認されることを防ぐことができかつ自然な外観を有するカラーコンタクトレンズを提供する。【解決手段】装着者の虹彩部の色に対応した第１の色の着色ドットを有する環状の着色領域であって、虹彩部の外形を縁取る位置に配置された縁取り着色部４と、着色ドットを有する環状の着色領域であって、縁取り着色部の内側に隣接して配置された遷移着色部６と、を備え、遷移着色部６の着色濃度は、半径方向において、外側から内側に進むにつれて減少するように分布し、着色ドットの密度を変化させることにより着色濃度を変化させ、着色ドットの密度を、着色ドットが配置された領域全体の面積に対する着色ドットの面積の割合で、遷移着色部６の外側の端部近傍の着色ドットの密度が５０〜８０％の範囲にする。【選択図】図６Ｂ
2020008872.tif 000002
【特許請求の範囲】
【請求項１】
装着者の虹彩部の色に対応した第１の色の着色ドットを有する環状の着色領域であって、前記虹彩部の外形を縁取る位置に配置された縁取り着色部と、
着色ドットを有する環状の着色領域であって、前記縁取り着色部の内側に隣接して配置された遷移着色部と、
を備え、
前記遷移着色部の着色濃度は、半径方向において、外側から内側に進むにつれて減少するように分布しており、
着色ドットの密度を変化させることにより着色濃度を変化させ、
前記着色ドットの密度を、着色ドットが配置された領域全体の面積に対する着色ドットの面積の割合で示すと、前記遷移着色部の外側の端部近傍の着色ドットの密度が５０〜８０％の範囲にすることにより、装着者の虹彩部の自然な外観を保つとともに、装着時に眼球との間にズレが生じた場合であっても、前記縁取り着色部の内側に前記装着者の強膜部が露見するのを防止することを特徴とするカラーコンタクトレンズ。
【請求項２】
前記遷移着色部の着色ドットの密度の平均値が２５〜４５％の範囲にあることを特徴とする請求項１に記載のカラーコンタクトレンズ。
【請求項３】
前記遷移着色部の内側の端部近傍の着色ドットの密度が０〜１０％の範囲にあることを特徴とする請求項１または２に記載のカラーコンタクトレンズ。
【請求項４】
着色ドットを有する環状の着色領域であって、前記縁取り着色部の外側に隣接して配置された外側遷移着色部を更に備え、
前記外側遷移着色部の着色濃度は、半径方向において、内側から外側に進むにつれて減少するように分布していることを特徴とする特徴とする請求項１から３の何れか１項に記載のカラーコンタクトレンズ。
【発明の詳細な説明】
【技術分野】
【０００１】
本発明は、装着者の虹彩の色に変化を与えることができるカラーコンタクトレンズに関する。
【背景技術】
【０００２】
近年、装着者の虹彩（黒目部分）の色に変化を与えることができるカラーコンタクトレンズが、若い女性を中心に普及してきている。その中には、装着者の虹彩の輪郭部分に環状の着色帯を有するカラーコンタクトレンズが提案されている。このようなカラーコンタクトレンズでは、着色帯により虹彩部の輪郭をくっきり際立たせることができるが、逆に、これにより人工的な印象を与える問題も生じる。
【０００３】
これに対処するため、虹彩部及び強膜部（白目部）の境界線を跨いで内周側と外周側に広がる環状の着色帯を有し、着色帯において、内周側から外周側に向かって色の濃度が低下するように着色されたカラーコンタクトレンズが提案されている（例えば、特許文献１参照）。特許文献１記載のカラーコンタクトレンズでは、虹彩部の外形領域において、内周側から外周側に向かって色の濃度が低下する着色を有するので、より自然で暖かみのある外観を与えることができる。
【先行技術文献】
【特許文献】
【０００４】
【特許文献１】特許第５６８９９００号公報
【発明の概要】
【発明が解決しようとする課題】
【０００５】
カラーコンタクトレンズを装着した場合、カラーコンタクトレンズの端部が上下の眼瞼で拘束されるため、装着者が目を動かすとき、通常、眼球及びカラーコンタクトレンズの間にズレが生じる。特許文献１に記載のカラーコンタクトレンズでは、着色帯の内側には着色帯と同色の着色が施されていないので、このズレにより、虹彩部の外側に位置する強膜部（白目部）が着色帯の内側にずれた場合、外部から視認可能になり、不自然な外観を呈することになる。特に、カラーコンタクトレンズ装着時における虹彩部の自然な外観を得るため、着色帯の半径方向における幅寸法を小さくした場合には、強膜部（白目部）が露見し易くなる。
【０００６】
本開示は、上記問題に鑑みてなされたものであり、装着者の虹彩部（黒目部）を自然な態様でくっきりと示すことができるとともに、装着者の目の動きに起因して眼球及びカラーコンタクトレンズの間でズレが生じたとしても、強膜部が視認されることを防ぐことができかつ自然な外観を有するカラーコンタクトレンズを提供することを目的とする。
【課題を解決するための手段】
【０００７】
上記課題を解決するため、本発明の一態様に係るカラーコンタクトレンズでは、
装着者の虹彩部の色に第１の色の着色ドットを有する環状の着色領域であって、前記虹彩部の外形を縁取る位置に配置された縁取り着色部と、
着色ドットを有する環状の着色領域であって、前記縁取り着色部の内側に隣接して配置され、前記縁取り着色部及び更に内側の領域の間を繋ぐ遷移着色部と、
を備え、
前記縁取り着色部の着色ドットの密度は一定範囲内にあり、
前記遷移着色部の着色ドットの密度は、半径方向において、外側から内側に進むにつれて減少するように分布している。
【発明の効果】
【０００８】
以上のように本開示では、縁取り着色部により、装着者の虹彩部を自然な態様でくっきりと示すことができるとともに、縁取り着色部の内側に配置され、着色ドットの密度が外側から内側に進むにつれて減少する遷移着色部により、装着者の目の動きに起因して眼球及びカラーコンタクトレンズの間でズレが生じたとしても、強膜部（白目部）が視認されることを防ぐことができかつ自然な外観を有するカラーコンタクトレンズを提供することができる。
【図面の簡単な説明】
【０００９】
【図１】本発明の１つの実施形態に係るカラーコンタクトレンズを模式的に示す平面図である。
【図２】図１に示すカラーコンタクトレンズの縁取り着色部を模式的に示す平面図である。
【図３】図１に示すカラーコンタクトレンズの遷移着色部を模式的に示す平面図である。
【図４】カラーコンタクトレンズを装着した場合の状態を模式的に示す側面断面図である。
【図５Ａ】従来のカラーコンタクトレンズを装着した場合を模式的に示す側面断面図であって、装着者が正面を見ている場合を示す図である。
【図５Ｂ】従来のカラーコンタクトレンズを装着した場合を模式的に示す側面断面図であって、図５Ａに示す場合から眼を動かした場合を示す図である。
【図６Ａ】図１に示すカラーコンタクトレンズを装着した場合を模式的に示す側面断面図であって、装着者が正面を見ている場合を示す図である。
【図６Ｂ】図１に示すカラーコンタクトレンズを装着した場合を模式的に示す側面断面図であって、図６Ａに示す場合から眼を動かした場合を示す図である。
【図７】図１に示すカラーコンタクトレンズの縁取り着色部、遷移着色部及び外側遷移着色部を模式的に示す平面図である。
【図８Ａ】図７に示す縁取り着色部、遷移着色部及び外側遷移着色部における着色濃度の分布の一例を示すグラフである。
【図８Ｂ】図７に示す縁取り着色部、遷移着色部及び外側遷移着色部における着色濃度の分布のその他の例を示すグラフである。
【図９Ａ】従来のカラーコンタクトレンズによる比較例を示す図（写真）であって、装着者が正面を見た場合を示す図である。
【図９Ｂ】従来のカラーコンタクトレンズによる比較例を示す図（写真）であって、装着者が左側を見た場合を示す図である。
【図９Ｃ】従来のカラーコンタクトレンズによる比較例を示す図（写真）であって、装着者が右側を見た場合を示す図である。
【図９Ｄ】従来のカラーコンタクトレンズによる比較例を示す図（写真）であって、装着者が上側を見た場合を示す図である。
【図９Ｅ】従来のカラーコンタクトレンズによる比較例を示す図（写真）であって、装着者が下側を見た場合を示す図である。
【図１０Ａ】本発明のカラーコンタクトレンズによる実施例を示す図（写真）であって、装着者が正面を見た場合を示す図である。
【図１０Ｂ】本発明のカラーコンタクトレンズによる実施例を示す図（写真）であって、装着者が左側を見た場合を示す図である。
【図１０Ｃ】本発明のカラーコンタクトレンズによる実施例を示す図（写真）であって、装着者が右側を見た場合を示す図である。
【図１０Ｄ】本発明のカラーコンタクトレンズによる実施例を示す図（写真）であって、装着者が上側を見た場合を示す図である。
【図１０Ｅ】本発明のカラーコンタクトレンズによる実施例を示す図（写真）であって、装着者が下側を見た場合を示す図である。
【発明を実施するための形態】
【００１０】
以下、図面を参照しながら、本発明を実施するための実施形態や実施例を説明する。なお、以下に説明するカラーコンタクトレンズは、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態や実施例に分けて示す場合があるが、異なる実施形態や実施例で示した構成の部分的な置換または組み合わせは可能である。後述の実施形態や実施例では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。
【００１１】
（１つの実施形態に係るカラーコンタクトレンズ）
はじめに、図１から図３を参照しながら、本発明の１つの実施形態に係るカラーコンタクトレンズについて説明する。図１は、本発明の１つの実施形態に係るカラーコンタクトレンズを模式的に示す平面図である。図２は、図１に示すカラーコンタクトレンズの縁取り着色部を模式的に示す平面図である。図３は、  図１に示すカラーコンタクトレンズの遷移着色部を模式的に示す平面図である。なお、図１には各着色部の境界位置に円弧が示されているが、これは境界を明確に示すために付加した線であり、実際のカラーコンタクトレンズ２には描かれていない。
【００１２】
本実施形態に係るカラーコンタクトレンズ２は、度付きソフトコンタクトレンズまたは度無しソフトコンタクトレンズに様々な着色を施して形成される。ソフトコンタクトレンズの素材としては、 Ｐｏｌｙ−ＨＥＭＡ（ポリヒドロキシエチルメタアクリレート）またはＰＶＰ （ポリビニルピロリドン）といったゲル状の合成高分子化合物（ハイドロゲル等）を用いることができる。ただし、これに限られるものではなく、その他の任意のソフトコンタクトレンズ用素材を採用することができる。
【００１３】
カラーコンタクトレンズ２には、装着者の虹彩部（黒目部）の外形を縁取る位置に配置された環状の着色領域である縁取り着色部４が配置されている。縁取り着色部４は、装着者の虹彩部の色に対応した第１の色の着色ドットを有する。この第１の色は、縁取り対応色または輪郭対応色と称することもできる。
更に、縁取り着色部４の内側に隣接して、環状の着色領域である遷移着色部６が配置されている。遷移着色部６は、縁取り着色部６及び更に内側の領域の間を繋ぐ遷移領域の機能を有する。本実施形態においては、遷移着色部６の内側の領域に、第１の色と異なる第２の色の着色ドットを有する他の着色部１０が配置されている。
【００１４】
遷移着色部６は、縁取り着色部４と同様に第１の色の着色ドットを有することもできる。この場合は、縁取り着色部４から遷移着色部６にかけて、縁取り効果のある縁取り着色部４を徐々にフェイドアウトさせていくことができる。また、遷移着色部６は、第１の色と異なる色の着色ドットを有することもできる。例えば、遷移着色部６の色を縁取り着色部４の色よりトーンを落とした色にすることもできる。この場合には、縁取り着色部４から遷移着色部６にかけて、より自然な外観を得ることができる。
【００１５】
縁取り着色部４により、虹彩の輪郭をくっきり示したり、大きく見せたりすることができ、他の着色部１０により、虹彩を明るく見せたり、色味を変えたりすることができる。更に、遷移着色部６により、縁取り着色部４及び他の着色部１０の間を自然な態様で繋ぐことができる。
【００１６】
＜縁取り着色部４＞
装着者の虹彩部の色に対応した第１の色とは、装着者の虹彩部の外形を際立たせる効果を奏するため、虹彩部の色に近似した色であることが好ましい。また、虹彩部の外形をくっきり際立たせるため、虹彩部の色よりもやや濃い色を用いる場合もある。ただし、第１の色はこれに限られるものではなく、例えば、虹彩部の色に対する意匠的効果を奏するためのその他の任意の色を採用することもできる。
【００１７】
例えば、虹彩部の色が濃い茶色の場合、第１の色として黒または黒に近い色を用いることが考えられる。第１の色は、装着者が概ね同じ色と認識する範囲において、ある色相の幅を有することができる。
縁取り着色部４の着色濃度についても、第１の色の着色ドットによる縁取り着色部４の着色濃度は、一定範囲内に収まるようになっている。ここで、一定範囲内とは、装着者が概ね同一の濃さの着色という認識を持つ範囲を意味する。
【００１８】
このような縁取り着色部４により、装着者の虹彩部の輪郭をくっきり示すことができる。特に、縁取り着色部４の半径方向における幅寸法を比較的狭くした場合に、装着者の虹彩部を自然な態様でくっきりと示すことができる。また、縁取り着色部４の外端部を、装着者の虹彩部の外端部より若干外側に配置することにより、瞳を大きく見せる効果を奏することもできる。
【００１９】
＜遷移着色部６＞
本実施形態では、遷移着色部６にも、第１の色の着色ドットが配置されている。ただし、遷移着色部６に配置された着色ドットの色は、上記の色相の一定範囲内において、縁取り着色部４に配置された着色ドットの色と全く同一でない場合もあり得る。更に、第１の色と異なる色の着色ドットを有することもできる。  
【００２０】
本実施形態に係る遷移着色部６では、図３に示すように、着色ドットによる着色濃度が、半径方向Ｒにおいて、外側から内側に進むにつれて減少するように分布している。なお、着色ドットによる着色濃度は、円周方向においてほぼ同一になっている。人の虹彩は、徐々に着色濃度や色相が変化している。よって、これと同様に、縁取り着色部４の近い着色濃度から徐々に着色濃度を減少させることにより、外側の縁取り着色部４及び内側の他の着色部１０の間を自然な外観で繋ぐことができる。このように自然な外観を得るため、遷移着色部６の半径方向Ｒにおける幅寸法が、縁取り着色部４の半径方向における幅寸法より大きくなっていることが好ましい。
【００２１】
縁取り着色部４及び遷移着色部６に近似した着色が施されている場合には、縁取り着色部４が、着色濃度が一定範囲内に収まる領域と、当該領域の内側に隣接した、半径方向Ｒにおいて外側から内側に進むにつれて着色濃度が減少するように分布した領域とを有すると表現することもできる。なお、遷移着色部６によるその他の作用効果については、図６Ａ、６Ｂを用いて、追って詳細に述べる。
【００２２】
＜他の着色部１０＞
図１に示すように遷移着色部６の内側に、第１の色と異なる第２の色の着色ドットを有する他の着色部１０が配置されている。第１の色と異なる第２の色は、第１の色より明るい色を用いることにより、虹彩を明るく見せることができる。また、虹彩の色味に変化を付けることもできる。
【００２３】
例えば、第１の色が濃い茶色の場合、薄茶、黄系、赤系の、青系、緑系、灰色系の色を採用することができる。ただし、これに限られるものではなく、用途やデザインに応じて、その他の任意の色を採用することができる。第２の色として、１色だけでなく、複数の色を用いることもできる。また、他の着色部１０が第１の色の着色ドットを有する場合もあり得る。その場合、同色でも明度や彩度を変更したものを用いて、変化を付けることもできる。
他の着色部１０では、円周方向で同一の着色ドットパターンを有する場合だけでなく、虹彩に合わせた模様、カラーコンタクト自体のデザイン性を高める模様をはじめとする任意のパターンを描くこともできる。
【００２４】
他の着色部１０の配置領域について更に詳細に述べれば、本実施形態では、遷移着色部６の内側の領域だけでなく、縁取り着色部４及び遷移着色部６にも配置されている。これにより、縁取り着色部４から内側に進むにつれて、色相や着色濃度を徐々に変化させていくことができる。ただし、これに限られるものではなく、他の着色部１０の配置領域が、遷移着色部６及びその内側の領域に配置されている場合もあり得るし、遷移着色部６より内側の領域にのみ配置されている場合もあり得る。
つまり、少なくとも遷移着色部６の内側に、着色ドットを有する他の着色部１０が配置されているということができる。
【００２５】
本実施形態では、他の着色部１０の着色濃度が、半径方向Ｒにおいて、外側から内側に進むにつれて減少するように分布している。人の虹彩は、徐々に着色濃度や色相が変化しており、これと同様に、着色濃度を外側から内側に進むにつれて減少させることにより、自然な美しい外観を得ることができる。
【００２６】
＜外側遷移着色部８＞
図１に示すように、本実施形態に係るカラーコンタクト２では、縁取り着色部４の外側に隣接して、環状の着色領域である外側遷移着色部８が配置されている。遷移着色部６も、第１の色の着色ドットを有する。ただし、これ限られるものではなく、第１の色と異なる色の着色ドットを有する場合もあり得る。
【００２７】
外側遷移着色部８の着色濃度は、半径方向Ｒにおいて、内側から外側に進むにつれて減少するように分布している。人の眼球は、虹彩から徐々に強膜部（白目部）に変化しており、これと同様に、虹彩の外形領域において、着色ドットの密度を内側から外側に進むにつれて減少させることにより、自然な外観を得ることができる。  
虹彩及び強膜部（白目部）は、かなり色相が異なるので、外側遷移着色部８の幅はあまり大きく取らない方が好ましい。よって、図1から明らかなように、遷移着色部６の半径方向Ｒにおける幅寸法が、外側遷移着色部８の半径方向Rにおける幅寸法より大きくなっていることが好ましい。
【００２８】
ここで、縁取り着色部４、遷移着色部６、外側遷移着色部８及び他の着色部１０の各着色領域は、着色ドットにより着色が施されている。
着色ドットにより着色が施されたカラーコンタクトレンズでは、着色ドットの密度を変化させることにより、着色濃度を変化させることができる。この場合、同じ大きさの着色ドットを用いて、単位面積当たりの着色ドットの数を変化させることにより、着色ドットの密度を変化させることができ、また、着色ドット自体の大きさを変化させることにより、着色ドットの密度を変化させることもできる。更に、これらを併用して、着色ドットの密度を変化させることもできる。
【００２９】
以上のように、着色ドットの密度を変化させることにより、確実にかつ容易に着色濃度を変化させることができる。着色ドットの密度は、例えば、着色ドットが配置された領域全体の面積に対する着色ドットの面積の割合で示すことができる。自然な外観を得るため、着色ドットの各ドットの直径は、５〜２００μｍ程度が好ましい。
なお、着色ドットの密度を変化させることにより着色濃度を変化させることに加えて、着色濃度が異なる着色ドットを用いて、着色濃度を変化させることもできる。これにより、着色ドットの密度の変化だけでは表すのが困難な微妙な着色濃度の変化を表すことができる。
【００３０】
各着色領域に着色ドットを設ける方法として、パッド印刷による場合を例示できる。パッド印刷では、インクが付いたドットパターンを有するパッドをコンタクトレンズに押しつけて転写する。このとき、コンタクトレンズの一方の面に着色ドットパターンを転写した後、印刷面を同じコンタクトレンズの素材で覆って、サンドイッチ構造のカラーコンタクトレンズを形成することができる。印刷を行う面は、装着時に外側に位置する面の場合も、内側に位置する面の場合もあり得る。
ただし、これに限られるものではなく、着色ドットパターンを有する印刷面が、外部に露出している場合もあり得る。更に、インクジェット印刷をはじめとするその他の任意の印刷方法を採用することもできるし、着色材を素材に溶かし込んでカラーコンタクトレンズを成型することもできる。
【００３１】
（従来のカラーコンタクトレンズの課題）
次に、図４、図５Ａ及び図５Ｂを参照しながら、従来のカラーコンタクトレンズにおいて生じる装着者が眼を動かしたときの課題について説明する。図４は、カラーコンタクトレンズを装着したときの状態を模式的に示す側面断面図である。図５Ａは、従来のカラーコンタクトレンズを装着した場合を模式的に示す側面断面図であって、装着者が正面を見ている場合を示す図である。図５Ｂは、従来のカラーコンタクトレンズを装着した場合を模式的に示す側面断面図であって、図５Ａに示す場合から眼を動かした場合を示す図である。
【００３２】
図４に示すように、カラーコンタクトレンズ１０２を眼球Ｂに装着したとき、カラーコンタクトレンズ１０２の周縁部が、上眼瞼ＵＬ及び下眼瞼ＬＬに拘束される。カラーコンタクトレンズ１０２及び眼球Ｂの間には涙が存在するので、装着者が眼球Ｂを動かしたとき、眼球Ｂ及びカラーコンタクトレンズ１０２の間でズレが生じる。なお、後述する本発明に係るカラーコンタクトレンズ２でも、同様に、装着者が眼球Ｂを動かしたとき、眼球及びカラーコンタクトレンズの間でズレが生じる。
【００３３】
図５Ａ、５Ｂに示す従来のカラーコンタクトレンズ１０２では、装着者の虹彩部Ｉの外形を縁取る位置に、虹彩部Ｉに対応した色の着色ドットを有する縁取り着色部１０４が配置されている。しかし、その内側の領域には、虹彩部Ｉに対応した色の着色ドットは配置されていない。
図５Ａに示す装着者が正面を見ている場合には、虹彩部Ｉの輪郭部の位置と縁取り着色部１０４の位置が一致している。よって、この縁取り着色部１０４により、装着者の虹彩部Ｉの輪郭をくっきり示すことができる。
【００３４】
一方、図５Ｂに示すように、図５Ａに示す正面を見る場合から角度θだけ眼を動かしたとき、カラーコンタクトレンズ１０２が目の動きに追従しきれず、眼球Ｂ及びカラーコンタクトレンズ１０２の間でズレが生じる。
このため、図５Ｂの白抜き矢印に示すように、矢印Ｘで示す虹彩部Ｉの外側に位置する強膜部（白目部）Ｗが、外部から視認できるようになる。これにより、虹彩部Ｉの中に白く色が抜けた領域が露見し、不自然な外観を呈することになる。特に、強膜部（白目部）Ｗの虹彩部Ｉに隣接した部分は、虹彩部Ｉからコントラストが大きく変化するので、他人の目を引くことになり、違和感を際立たせる。
【００３５】
仮に、縁取り着色部１０４の幅を大きく内側に伸ばせば、眼球Ｂ及びカラーコンタクトレンズ１０２の間でズレが生じても、強膜部（白目部）が外部に露見するのを防ぐことができる。しかし、その場合には、縁取り着色部１０４の幅が大きくなりすぎて、不自然な人工的な外観を呈することになる。
【００３６】
（本発明による課題の解決）
次に、図６Ａ及び図６Ｂを参照しながら、上記の本発明の１つの実施形態に係るカラーコンタクトレンズ２により、上記の課題を解決できることを説明する。
カラーコンタクトレンズ２は、虹彩部Ｉの色に対応した第１の色の着色ドットを有する縁取り着色部４が、装着者の虹彩部Ｉの外形を縁取る位置に配置されている。更に、第１の色の着色ドットを有する遷移着色部６が、縁取り着色部４の内側に隣接して配置されている。図６Ａ、６Ｂに模式的に示すように、遷移着色部６の着色濃度は、外側から内側に進むにつれて減少するように分布している。
【００３７】
図６Ａに示す装着者が正面を見ている場合には、虹彩部Ｉの輪郭部の位置と縁取り着色部４の位置が一致していて、装着者の虹彩部Ｉの輪郭をくっきり示すことができる。特に、縁取り着色部４の半径方向における幅寸法を比較的狭くすると、装着者の虹彩部Ｉの輪郭をより自然な態様でくっきりと示すことができる。
【００３８】
次に、図６Ｂに示すように、図６Ａに示す正面を見る場合から角度θだけ眼を動かした場合、眼球Ｂ及びカラーコンタクトレンズ２の間でズレが生じる。しかし、図６Ｂの矢印Ｙで示す虹彩部Ｉの外側に位置する強膜部（白目部）は、遷移着色部６により覆われている。よって、図６Ｂの着色矢印で模式的に示すように、強膜部（白目部）Ｗが外部から露見するのを防ぐことができる。特に、虹彩部Ｉとのコントラストの変化が大きく、他人の目を引き易い強膜部（白目部）の虹彩部Ｉに隣接した部分が、遷移着色部６の着色濃度の高い領域で覆われるので、強膜部（白目部）Ｗが露見するのを効果的に防ぐことができる。よって、装着者の虹彩部を自然な態様でくっきりと見せるため、縁取り着色部４の半径方向における幅寸法を比較的狭くしたとしても、遷移着色部６により強膜部（白目部）Ｗが露見するのを防ぐことができる。
また、虹彩部Ｉは、徐々に着色濃度や色相が変化するようになっているが、同様に、遷移着色部６の着色濃度が外側から内側に進むにつれて減少するようになっているので、自然な外観を与えることができる。
【００３９】
特に、他人の目を引き易い強膜部（白目部）の虹彩部Ｉに隣接した部分が露見するのを効果的に防ぎ、かつ自然な外観を得るため、縁取り着色部４から遷移着色部６にかけて、着色濃度が、ステップ状ではなく、略連続的に減少するようにすることが好ましい。
【００４０】
（遷移着色部６の着色濃度分布）
以上のように、眼球Ｂ及びカラーコンタクトレンズ２の間でズレが生じても、強膜部（白目部）が露見するのを防ぐには、遷移着色部６は、比較的高い着色濃度を有する方が有利である。一方、遷移着色部６の着色濃度が高すぎると、虹彩部Ｉの自然な外観が得にくくなる。
これらの相反する事象に対して、実際にカラーコンタクトレンズを試作して試験した結果や様々なシミュレーション結果に基づき、以下を知見した。
【００４１】
着色濃度は、同じ着色濃度を有する着色ドットの密度で表すことができるが、この場合、着色ドットが配置された領域全体の面積に対する着色ドットの面積の割合で着色ドットの密度を示すことができる。
このとき、遷移着色部６の外側の端部近傍の着色ドットの密度が５０〜８０％の範囲にあり、遷移着色部６の内側の端部近傍の着色ドットの密度が０〜１０％の範囲にあるのが好ましいことが判明した。更に、遷移着色部６全体の着色ドットの密度の平均値は、２５〜４５％の範囲にあることが好ましく、２５〜３５％の範囲にあることがより好ましいことが判明した。特に、縁取り着色部４から遷移着色部６へかけて、連続的に着色ドットの密度が減少していくのが好ましい。
【００４２】
このような着色ドットの密度を有することにより、眼球Ｂ及びカラーコンタクトレンズ２の間でズレが生じても、強膜部（白目部）が露見するのを防ぐことができるとともに、虹彩部Ｉの自然な外観が得られるカラーコンタクトレンズ２を実現できる。
【００４３】
眼球Ｂ及びカラーコンタクトレンズ２の間でズレが生じても、強膜部（白目部）が露見するのを防ぐことができるとともに、虹彩部Ｉの自然な外観が得られるカラーコンタクトレンズ２を得るため、縁取り着色部４の半径方向における幅寸法がレンズ外径寸法の３〜７％であり、遷移着色部６の半径方向における幅寸法がレンズ外径寸法の６〜１０％であることが好ましいことを知見した。
【００４４】
また、上記の作用効果を得るため、カラーコンタクトレンズの各部の寸法として、
（１）レンズ外径寸法が１３．５〜１５ｍｍ、
（２）外側遷移着色部８の外側端部の径が１２．５〜１４．５ｍｍ、
（３）外側遷移着色部８の半径方向における幅寸法が０．１〜０．３ｍｍ、
（４）縁取り着色部４の半径方向における幅寸法が０．３〜１．０ｍｍ、及び
（５）遷移着色部６の半径方向における幅寸法が０．５〜１．８ｍｍであることを例示できる。瞳の大きさには個人差があるが、上記の範囲であれば、多くの使用者が好適に上記の作用効果を享受できると考えられる。
【００４５】
（縁取り着色部４、遷移着色部６及び外側遷移着色部８の着色濃度分布）
次に、図７、図８Ａ及び図８Ｂを参照しながら、縁取り着色部４、遷移着色部６及び外側遷移着色部８の着色濃度分布の説明を行う。図７は、図１に示すカラーコンタクトレンズの縁取り着色部、遷移着色部及び外側遷移着色部を模式的に示す平面図である。図８Ａは、図７に示す縁取り着色部、遷移着色部及び外側遷移着色部における着色濃度の分布の一例を示すグラフである。図８Ｂは、図７に示す縁取り着色部、遷移着色部及び外側遷移着色部における着色濃度の分布のその他の例を示すグラフである。図８Ａ及び図８Ｂに示すグラフは、横軸が半径方向Ｒにおける位置、縦軸が着色濃度を示す。図８Ａ、８Ｂに示すグラフは、着色ドットによる着色を行うための基準プロファイルとして用いることができる。
【００４６】
＜図８Ａに示す例＞
図８Ａに示す例では、縁取り着色部４において、ほぼ同一の着色濃度を有する。遷移着色部６では、外側の端部Ｂつまり縁取り着色部４の内側の端部）から内側の端部Ａに進むにつれて、着色濃度が連続的に減少するようになっている。また、外側遷移着色部８では、内側の端部Ｃ（つまり縁取り着色部４の外側の端部）から外側の端部Ｄまで進むにつれて、着色濃度が連続的に減少するようになっている。
この場合、縁取り着色部４から遷移着色部６にかけて、着色濃度が略連続的に減少することが好ましい。これにより、他人の目を引き易い強膜部（白目部）の虹彩部に隣接した部分が露見するのを効果的に防ぎ、かつ自然な外観を得ることができる。また、自然な外観を得るため、縁取り着色部４から外側遷移着色部８にかけて、着色濃度が略連続的に減少することが好ましい。
【００４７】
図８Ａでは、移動距離に比例して着色濃度が変化する直線的なグラフが示されているが、これに限られるものではなく、曲線的なグラフを描くように、着色濃度が移動距離に対して変化する場合もあり得る。この場合、縁取り着色部４の両端部Ｂ、Ｃにおいて、遷移着色部６及び外側遷移着色部８と滑らかな曲線で繋がるのが好ましい。そのような場合、曲線的なグラフを示す関数として、多項式関数（ｎ次関数）指数・対数関数、三角関数、双曲線関数をはじめとする任意の関数を用いることができる。
【００４８】
＜図８Ｂに示す例＞
図８Ｂに示すその他の例では、装着者が概ね同一の濃さの着色という認識を持つ一定範囲内において、縁取り着色部４の半径方向において中央部Ｍの着色濃度が高く、両端部Ｂ、Ｃの着色濃度が低い分布を有している。ここでいう中央部Ｍは、縁取り着色部４の両端部の間の任意の位置が含まれ、概略中心位置の場合も、どちらかの端部に近い場合もあり得る。
【００４９】
図８Ｂから明らかなように、半径方向Ｒにおいて、遷移着色部６の内側の端部Ａから縁取り着色部４の中央部Ｍまで進むにつれて、着色濃度が連続的に上昇し、縁取り着色部４の中央部Ｍから縁取り着色部４の外側の端部Ｃまで進むにつれて、着色濃度が連続的に減少するように分布している。更に図８Ｂに示す例では、外側遷移着色部８の外側の端部Ｄまで、着色濃度が連続的に減少するように分布している。
上記のように、実際の虹彩及び強膜部（白目部）は、徐々に着色濃度や色相が変化しているので、これと同様に、縁取り着色部４、遷移着色部６及び外側遷移着色部８の着色濃度を連続的に変化させることにより、装着者がカラーコンタクトレンズ２を装着したとき、より自然な外観を得ることができる。
【００５０】
図８Ｂのグラフから明らかなように、半径方向Ｒの位置及び着色濃度を両軸とするグラフが、遷移着色部６の内側の端部から縁取り着色部４の外側の端部Ｃまで、または遷移着色部６の内側の端部から外側遷移着色部８の外側の端部Ｄまで、滑らかな曲線を描いている。これにより、眼球Ｂ及びカラーコンタクトレンズ２の間でズレが生じたとしても、虹彩部Ｉの外側に隣接した強膜部（白目部）が露見するのを防ぐとともに、確実にカラーコンタクトレンズ２の装着時における自然な外観を与えることができる。
【００５１】
以上のように、本発明の実施形態に係るカラーコンタクトレンズ２は、
装着者の虹彩部Ｉの色に対応した第１の色の着色ドットを有する環状の着色領域であって、虹彩部Ｉの外形を縁取る位置に配置された縁取り着色部４と、
第１の色の着色ドットを有する環状の着色領域であって、縁取り着色部４の内側に隣接して配置され、縁取り着色部４及び内側の第１の色の着色ドットが存在しない領域の間を繋ぐ遷移着色部６と、を備え、
縁取り着色部４の着色濃度は一定範囲内にあり、
遷移着色部６の着色濃度は、半径方向において、外側から内側に進むにつれて減少するように分布している。
【００５２】
よって、縁取り着色部４により、装着者の虹彩部を自然な態様でくっきりと示すことができるとともに、縁取り着色部４の内側に配置され、着色ドットの密度が外側から内側に進むにつれて減少する遷移着色部６により、装着者の目の動きに起因して眼球及びカラーコンタクトレンズの間でズレが生じたとしても、強膜部（白目部）が視認されることがなくかつ自然な外観を有するカラーコンタクトレンズ２を提供することができる。
【実施例】
【００５３】
次に、図９Ａから図１０Ｅを参照しながら、実際に本発明に係るカラーコンタクトレンズを実際に製作して装着した実施例と、従来のカラーコンタクトレンズを装着した比較例とを比較した結果を以下に説明する。
図９Ａから図９Ｅは、従来のカラーコンタクトレンズによる比較例を示す図（写真）である。図９Ａは、装着者が正面を見た場合を示す図（写真）であり、図９Ｂは、装着者が右側を見た場合を示す図（写真）であり、図９Ｃは、装着者が左側を見た場合を示す図（写真）であり、図９Ｄは、装着者が上側を見た場合を示す図（写真）であり、図９Ｅは、装着者が下側を見た場合を示す図（写真）である。
図１０Ａから図１０Ｅは、本発明に係るカラーコンタクトレンズの実施例を示す図（写真）である。図１０Ａは、装着者が正面を見た場合を示す図（写真）であり、図１０Ｂは、装着者が右側を見た場合を示す図（写真）であり、図１０Ｃは、装着者が左側を見た場合を示す図（写真）であり、図１０Ｄは、装着者が上側を見た場合を示す図（写真）であり、図１０Ｅは、装着者が下側を見た場合を示す図（写真）である。
【００５４】
比較例として、下記のような仕様のカラーコンタクトレンズを用意した。
１．各部の寸法
（１）レンズ外径：１４．２ｍｍ
（２）縁取り着色部の外側端部の径：  １３．４ｍｍ
（３）縁取り着色部の半径方向における幅寸法：  ０．６７ｍｍ
【００５５】
実施例として、下記のような仕様のカラーコンタクトレンズを試作した。
１．各部の寸法
（１）レンズ外径：  １４．２ｍｍ、
（２）外側遷移着色部の外側端部の径：  １３．６ｍｍ
（３）外側遷移着色部の半径方向における幅寸法：  ０．２２ｍｍ
（４）縁取り着色部４半径方向における幅寸法：  ０．６５ｍｍ
（５）遷移着色部の半径方向における幅寸法：  ０．９４ｍｍ
２．着色ドットの平均密度（着色ドットの面積／着色ドットが配置された領域全体の面積）
（１）外側遷移着色部：  ６．８％
（２）外側遷移着色部：  ６１．３％
（３）遷移着色部：  ３１．９％
【００５６】
＜比較結果＞
図９Ａから図９Ｅに示す、従来のカラーコンタクトレンズによる比較例では、装着者が正面を見た場合(図９Ａ参照）には、縁取り着色部により、装着者の虹彩部の輪郭をくっきり示すことができる。しかし、正面を見る場合から眼を左右上下に動かした場合（図９Ｂ〜図９Ｅ参照）には、矢印Ｘで示すように、虹彩部の外側に続く強膜部（白目部）が外部から視認できるようになる。これにより、虹彩部の中に白く色が抜けた領域露見し、極めて不自然な外観を呈する。
【００５７】
一方、図１０Ａから図１０Ｅに示す本発明に係るカラーコンタクトレンズによる実施例では、装着者が正面を見た場合(図１０Ａ参照）には、縁取り着色部により、装着者の虹彩部の輪郭をくっきり示すことができ、遷移着色部の着色濃度が外側から内側に進むにつれて減少するようになっているので、自然な外観を与えることができる。正面を見る場合から眼を左右上下に動かした場合（図１０Ｂ〜図１０Ｅ参照）であっても、虹彩部の外側に続く強膜部（白目部）が遷移着色部により覆われており、矢印Ｙで示すように、強膜部（白目部）が外部から露見することがない。
【００５８】
以上のように、実際にカラーコンタクトレンズを製作して行った比較試験においても、上記の本発明の実施形態に係るカラーコンタクトレンズにより奏する作用効果が実証された。
【００５９】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００６０】
２      カラーコンタクト
４      縁取り着色部
６      遷移着色部
８      外側遷移着色部
１０    他の着色部
１０２  カラーコンタクト
１０４  縁取り着色部
Ｂ    眼球
Ｉ    虹彩部（黒目部）
Ｗ    強膜部（白目部）
Ｐ    瞳孔
ＵＬ  上眼瞼
ＬＬ  下眼瞼
【図１】
2020008872.tif 000003
【図２】
2020008872.tif 000004
【図３】
2020008872.tif 000005
【図４】
2020008872.tif 000006
【図５Ａ】
2020008872.tif 000007
【図５Ｂ】
2020008872.tif 000008
【図６Ａ】
2020008872.tif 000009
【図６Ｂ】
2020008872.tif 000010
【図７】
2020008872.tif 000011
【図８Ａ】
2020008872.tif 000012
【図８Ｂ】
2020008872.tif 000013
【図９Ａ】
2020008872.tif 000014
【図９Ｂ】
2020008872.tif 000015
【図９Ｃ】
2020008872.tif 000016
【図９Ｄ】
2020008872.tif 000017
【図９Ｅ】
2020008872.tif 000018
【図１０Ａ】
2020008872.tif 000019
【図１０Ｂ】
2020008872.tif 000020
【図１０Ｃ】
2020008872.tif 000021
【図１０Ｄ】
2020008872.tif 000022
【図１０Ｅ】
2020008872.tif 000023